(57)【特許請求の範囲】
【請求項１】
底面パネルの前後に前面パネルと背面パネルがそれぞれ折線を介して連設され、背面パネルにはその上辺に上面パネルが折線を介して連設され、前面パネルにはその上辺にスライドパネルが破断可能な状態で連設されており、上面外側パネルには取出し用の開口もしくは開口形成部が設けられるとともにその先端には破断可能な把持部分が区画されており、スライドパネルの外側から上面パネルが重ねられ、上面パネルがその把持部分でスライドパネルに貼り合わせられることで胴部が形成され、その胴部の一方を閉じて内容物を投入してから他方が閉じられたことを特徴とするカートン。
【請求項２】
底面パネルの前後に前面パネルと背面パネルがそれぞれ折線を介して連設され、背面パネルにはその上辺に上面外側パネルが折線を介して連設され、前面パネルにはその上辺にスライドパネルと上面内側パネルがそれぞれ破断可能な状態で順に連設され、その上面内側パネルの先端に接着フラップが折線を介して連設されており、上面外側パネルには取出し用の開口もしくは開口形成部が設けられるとともに、上面内側パネルには上面外側パネルの開口もしくは開口形成部と重なった時に合致する取出し用の開口が設けられ、上面外側パネルの先端には破断可能な把持部分が区画されており、スライドパネルに対し上面内側パネルを内側に折り返した状態で接着フラップが前面パネルの裏面上部に貼り合わせられ、スライドパネルの外側から上面外側パネルが重ねられ、上面外側パネルの把持部分がスライドパネルの上面に貼り合わせられることで胴部が形成され、その胴部の一方を閉じて内容物を投入してから他方が閉じられたことを特徴とするカートン。
【発明の詳細な説明】
【技術分野】
【０００１】
本発明は、板紙等からなるカートンの技術分野に属し、詳しくは、菓子類を始めとして、各種生活用品などの物品を収納して販売する際に好適に用いられるカートンに関するものである。
【背景技術】
【０００２】
従来、菓子類等を入れて販売するための板紙製のカートンとして、サック貼りしたブランクを角筒状に起こし、一方の開口を閉じてからもう一方の開口より内容物を充填して閉じることで箱型とするシールエンド型のものが多く利用されている。このタイプのカートンは、内容物を取り出すための開封機構を有している。例えば、開封部分に帯状のジッパーを設けたものや、胴部を周回する帯状のジッパーを設けたものがある。特に、天面の一部を開けることができ、また再封できるようにするため、側板に設けた摘み部からジッパーの破断を開始して天面を蓋として大きく開封し、閉じる際には摘み部を側板のスリットに係止するようにしたタイプも多く用いられている。
【０００３】
【特許文献１】特開平８−１１８６９号公報
【特許文献２】特開平９−１９３９２６号公報
【特許文献３】特開２００１−１３９０２５号公報
【発明の開示】
【発明が解決しようとする課題】
【０００４】
上記したカートンのうち、天面の一部を開けるタイプのものは、大きく開けることができて中身の取出しが容易であるという利点はあるが、蓋を手で持っていないと開封状態を維持することができないため、テーブル等に置いた状態で中身を取り出すということが出来ない。そして、閉じた状態にしても摘み部を側板のスリットに差し込んで止めるだけなので、落下させたりすると蓋が開いて中身がこぼれるという問題がある。また、開封した部分はジッパーのギザギザが残るため、見栄えがよくないという問題もある。
【０００５】
本発明は、このような問題点に鑑みてなされたものであり、その目的とするところは、開封状態を維持することができ、また蓋を閉じた状態で落下させても中身が溢れるようなことがなく、しかもジッパーの開封による見栄えの悪さをなくしたカートンを提供することにある。
【課題を解決するための手段】
【０００６】
上記の目的を達成するため、本発明に係る第１のタイプのカートンは、底面パネルの前後に前面パネルと背面パネルがそれぞれ折線を介して連設され、背面パネルにはその上辺に上面パネルが折線を介して連設され、前面パネルにはその上辺にスライドパネルが破断可能な状態で連設されており、上面外側パネルには取出し用の開口もしくは開口形成部が設けられるとともにその先端には破断可能な把持部分が区画されており、スライドパネルの外側から上面パネルが重ねられ、上面パネルがその把持部分でスライドパネルに貼り合わせられることで胴部が形成され、その胴部の一方を閉じて内容物を投入してから他方が閉じられたことを特徴とする。
【０００７】
この構成からなる第１のタイプのカートンは、上面パネルにおける把持部分とこれに接着したスライドパネルの前面パネル側を摘んで引っ張ると、スライドパネルはその前方側が前面パネルから破断され、上面パネルの下側でスライド可能となり、そのまま引っ張ると上面パネルにある開口が開いた状態となって開封され、その開封状態は維持される。また、開封後にスライドパネルを閉じると、そのスライドパネルを引っ張らない限りは開口が開くことがない。
【０００８】
上記の目的を達成するため、本発明に係る第２のタイプのカートンは、底面パネルの前後に前面パネルと背面パネルがそれぞれ折線を介して連設され、背面パネルにはその上辺に上面外側パネルが折線を介して連設され、前面パネルにはその上辺にスライドパネルと上面内側パネルがそれぞれ破断可能な状態で順に連設され、その上面内側パネルの先端に接着フラップが折線を介して連設されており、上面外側パネルには取出し用の開口もしくは開口形成部が設けられるとともに、上面内側パネルには上面外側パネルの開口もしくは開口形成部と重なった時に合致する取出し用の開口が設けられ、上面外側パネルの先端には破断可能な把持部分が区画されており、スライドパネルに対し上面内側パネルを内側に折り返した状態で接着フラップが前面パネルの裏面上部に貼り合わせられ、スライドパネルの外側から上面外側パネルが重ねられ、上面外側パネルの把持部分がスライドパネルの上面に貼り合わせられることで胴部が形成され、その胴部の一方を閉じて内容物を投入してから他方が閉じられたことを特徴とする。
【０００９】
この構成からなる第２のタイプのカートンは、上面外側パネルにおける把持部分とこれに接着したスライドパネルの前面パネル側を摘んで引っ張ると、スライドパネルはその後方側が上面内側パネルから破断されるとともに前方側が前面パネルから破断され、上面外側パネルと上面内側パネルの隙間でスライド可能となり、そのまま引っ張ると上面内側パネルにある開口が露出して上面外側パネルの開口と重なった状態となって開封され、その開封状態は維持される。また、開封後にスライドパネルを閉じると、そのスライドパネルを引っ張らない限りは開口が開くことがない。
【発明の効果】
【００１０】
本発明のカートンは、スライドパネルを引っ張ることによって上面を大きく開けて開封することができ、スライドパネルは押し込まない限りは元の閉位置に戻らないので、蓋を手で持たなくても開けたままの状態を維持することができる。また、開封後にスライドパネルを閉じると、そのスライドパネルを引っ張らない限りは開口が開かないので、落下させても中身が溢れることがない。また、従来のようなジッパーによる開封手段を設けていないので、開封による見栄えが悪くなるのを防ぐことができる。
【発明を実施するための最良の形態】
【００１１】
次に、本発明の実施の形態について図面を参照しながら詳細に説明する。
【００１２】
図１は本発明に係る第１のタイプのカートンの一例を示す斜視図、図２は図１に示すカートンを組み立てるブランクの展開図である。
【００１３】
図２のブランクは、紙器用の板紙を打ち抜いて形成された一枚もので、図示のように、底面パネル１の前後に前面パネル２と背面パネル３がそれぞれ折線を介して連設され、背面パネル３にはその上辺に上面パネル４が折線を介して連設され、前面パネル２にはスライドパネル５がジッパーを介して破断可能な状態で連設されており、上面パネル４には取出し用の開口４ａが設けられるとともにその先端には数カ所にツナギを有するＵ字状の切込線ａによって破断可能な把持部分４ｂが区画されている。そして、この把持部分４ｂと対応して、前面パネル２におけるスライドパネル５側には、ジッパーと対向する短い一本の折線ｂとその両端からスライドパネル５に向けて延びるツナギのある一対の切込線ｃとで構成される略矩形状の押圧部２ａが区画されている。また、スライドパネル５の先端は、上面パネル４と合わせたときに開口４ａとは重ならない範囲で円弧状に凹んだ形状になっている。なお、上面パネル４の開口４ａは、図示の如く始めから開口として開けてあってもよいが、開口形成部としてもよい。すなわち、開口を塞ぐ覆いパネルをツナギで設けておき、開封時にそのツナギを破断して開けるようにしてもよい。
【００１４】
また、底面パネル１の左右にそれぞれ折線を介して側面内側パネル６が連設され、上面パネル４の左右にそれぞれ折線を介して側面外側パネル７が連設され、前面パネル２の左右にそれぞれ折線を介して折込みフラップ８が連設され、背面パネル３の左右にそれぞれ折線を介して折込みフラップ９が連設されている。さらに、スライドパネル５の左右には前面パネル２とは反対側に凸部１０ａのある狭幅のガイド片１０がそれぞれ折線を介して設けられている。
【００１５】
上面パネル４の左右にある側面外側パネル７は、箱の高さ（背面パネル３の高さ）とほぼ同じになっているが、底面パネル１の左右にある側面内側パネル６は内側で折り曲げられるために箱の高さより僅かに低くなっており、その前面パネル２側の側辺には円弧状の切欠部６ａが形成されている。
【００１６】
図２のブランクを組み立てるには、まずサック貼り状態とする。具体的には、底面パネル１に対して前面パネル２側を折り返した後、背面パネル３に対して上面パネル４を折り返して把持部分４ａをスライドパネル５の上面に貼り合わせる。
【００１７】
そして、充填工程において、このサック貼りしたブランクを角筒状に起こし、胴部の一方を閉じて内容物を投入してから他方を閉じることで、図１に示すカートンを組み立てる。その閉じる順序は両方とも同じである。すなわち、まず折込みフラップ８，９を折り曲げてから、それらの上に被さるように側面内側パネル６を折り曲げる。次いで、ガイド片１０を折り曲げるようにして側面外側パネル７を折り曲げ、折り曲げた側面外側パネル７の先端部を側面内側パネル６に貼り合わせる。このとき、円弧状の切欠部６ａのところには折込みフラップ８の一部が露出することになるが、側面外側パネル７をこの露出した部分にも接着剤Ｇを付けて貼り合わせる。これにより、前面パネル２は折込みフラップ８を介してカートンの側面に固定される。なお、組立状態における各構成部分の位置関係を分かりやすくするため、上面パネル４とその左右の側面外側パネル７を剥がして立てた状態のカートンを図３に示してある。
【００１８】
図１に示すカートンを開封するには、上面パネル４の把持部分４ａを摘むようにして前面パネル２の押圧部２ａを押し込んで破断する。そして、そのまま把持部分４ａを引っ張ることで切込線ａのツナギ部分を破断する。これにより、把持部分４ａはスライドパネル５にくっ付いた状態となって上面パネル４から独立する。次いで、把持部分４をスライドパネル５とともに引っ張ると、スライドパネル５はその前方側が前面パネル２から破断され、上面パネル４の下側でスライド可能となる。続いて、そのまま引っ張ると、図４に示すように、上面パネル４の開口４ａが開いた状態となって開封される。なお、開封状態における各構成部分の位置関係を分かりやすくするため、上面パネル４とその左右の側面外側パネル７を剥がして立てた状態のカートンを図５に示してある。
【００１９】
図１のカートンでは、スライドパネル５にガイド片１０を設け、そのガイド片１０に凸部１０ａを設けたので、スライドパネル５を引っ張ると、その凸部１０ａが折込みフラップ８と側面外側パネル７の接着剤Ｇのところまでは進むがそれ以上は引き出せない状態となる。また、前面パネル２は、これに繋がる折込みフラップ８が側面内側パネル６の切欠部６ａのところで側面外側パネル７に接着されているので、開封時にスライドパネル５が前面パネル２から切断されても箱形状が崩れるようなことがない。また、スライドパネル５を押し込むと、両サイドのガイド片１０によりスムースに閉位置までスライドさせることができる。
【００２０】
このように、図１のカートンは、スライドパネル５を引っ張って開口４ａを開けると、そのまま放置しても開封状態が維持される。また、開封後にスライドパネル５を閉じると、そのスライドパネル５を引っ張らない限りは開口４ａは開かないので、落下するようなことがあっても中身が溢れるということがない。
【００２１】
図６は本発明に係る第２のタイプのカートンの一例を示す斜視図、図７は図６に示すカートンを組み立てるブランクの展開図である。
【００２２】
図７のブランクは、紙器用の板紙を打ち抜いて形成された一枚もので、図示のように、底面パネル１１の前後に前面パネル１２と背面パネル１３がそれぞれ折線を介して連設され、背面パネル１３にはその上辺に上面外側パネル１４が折線を介して連設され、前面パネル１２にはその上辺にスライドパネル１５と上面内側パネル１６がそれぞれ破断可能な状態で順に連設され、その上面内側パネル１６の先端に接着フラップ１７が折線を介して連設されており、上面外側パネル１４と上面内側パネル１６にはそれらが重なった時に合致する取出し用の開口１４ａ，１６ａがそれぞれ設けられ、上面外側パネル１４の先端には数カ所にツナギを有するＵ字状の切込線ｄによって破断可能な把持部分１４ｂが区画されている。また、この把持部分１４ｂと対応して、上面内側パネル１６における接着フラップ１７側には数カ所にツナギを有するＵ字状の切込線ｅによって押圧部分１６ｂが区画されている。なお、上面パネル１４の開口１４ａは、図示の如く始めから開口として開けてあってもよいが、開口形成部としてもよい。すてわち、開口を塞ぐ覆いパネルをツナギで設けておき、開封時にそのツナギを破断して開けるようにしてもよい。
【００２３】
前面パネル１２とスライドパネル１５の境界は、前面パネル２側に円弧状に膨らんだ中央部分の切込線ｆとその両側のジッパーとによって破断可能な折線になっており、スライドパネル１５と上面内側パネル１６の境界は、スライドパネル１５側に円弧状に膨らむとともに上面内側パネル１６側に直線的にずれて膨らんだ形状の長いスリットαとその両側のジッパーとによって破断可能な折線になっている。
【００２４】
また、底面パネル１１の左右にそれぞれ折線を介して側面内側パネル１８が連設され、上面外側パネル１４の左右にそれぞれ折線を介して側面外側パネル１９が連設され、前面パネル１２の左右にそれぞれ折線を介して折込みフラップ２０が連設され、背面パネル１３の左右にそれぞれ折線を介して折込みフラップ２１が連設されている。さらに、スライドパネル１５の左右には前面パネル１２とは反対側にそれぞれ折線を介してガイド片２２が突出して設けられており、上面内側パネル１６の左右には中央部分にそれぞれ紡錘形状の長いスリットβが設けられた折線を介して折曲げフラップ２３が連設されている。
【００２５】
上面外側パネル１４の左右にある側面外側パネル１９は、箱の高さ（背面パネル１３の高さ）とほぼ同じになっているが、底面パネル１１の左右にある側面内側パネル１８は箱の高さよりやや低く、前面パネル１２側の一部だけが箱の高さとほぼ同じ高さとなるための凸部１８ａを有しており、しかもその前面パネル１２側の側辺には三角状の切欠部１８ｂが形成されている。また、上面内側パネル１６の左右にある折曲げフラップ２３は、接着フラップ１７側に切欠部２３ａが形成されており、この切欠部２３ａは、組み立てたときに側面内側パネル１８の凸部１８ａが入るサイズになっている。
【００２６】
図７のブランクを組み立てるには、まずサック貼り状態とする。具体的には、スライドパネル１５に対し上面内側パネル１６を内側に折り返した状態で接着フラップ１７を前面パネル１２の裏面上部に貼り合わせ、この状態で底面パネル１１に対して前面パネル１２側を折り返した後、背面パネル１３に対して上面外側パネル１４を折り返して把持部分１４ａをスライドパネル１５の上面に貼り合わせる。
【００２７】
そして、充填工程において、このサック貼りしたブランクを角筒状に起こし、胴部の一方を閉じて内容物を投入してから他方を閉じることで、図６に示すカートンを組み立てる。その閉じる順序は両方とも同じである。すなわち、まず折込みフラップ２０，２１を折り曲げてから、それらの上に被さるように側面内側パネル１８を折り曲げる。次いで、折曲げフラップ２３とガイド片２２を一緒にに折り曲げるようにして側面外側パネル１９を折り曲げ、折り曲げた側面外側パネル１９の先端部を側面内側パネル１８に貼り合わせる。このとき、側面内側パネル１８の凸部１８ａは折曲げフラップ２３の切欠部２３ａのところに収まり、三角状の切欠部１８ｂのところには折込みフラップ２０の一部が露出することになるが、側面外側パネル１９の内面をこの露出した部分にも貼り合わせる。これにより、前面パネル１２は折込みフラップ２０を介してカートンの側面に固定される。なお、組立状態における各構成部分の位置関係を分かりやすくするため、上面外側パネル１４とその左右の側面外側パネル１９を剥がして立てた状態のカートンを図８に示してある。
【００２８】
図６に示すカートンを開封するには、上面外側パネル１４の把持部分１４ａを押圧し、切込線ｄのツナギ部分を破断する。このとき、把持部分１４ａの真下に位置する押圧部分１６ｂも切込線ｅのツナギ部分を破断され、接着フラップ１７との境界線で撓むので、把持部分１４ａはスライドパネル１５にくっ付いた状態となって上面外側パネル１４から独立する。次いで、把持部分１４の先端が僅かに前面パネル１２から突き出ているので、この部分を摘んでスライドパネル１５とともに引っ張ると、スライドパネル１５はその後方側が上面内側パネル１６から破断されるとともに前方側が前面パネル１２から破断され、上面外側パネル１４と上面内側パネル１６の隙間でスライド可能となる。続いて、そのまま引っ張ると、図９に示すように、上面内側パネル１６にある開口１６ａが露出して上面外側パネル１４の開口１４ａと重なった状態となって開封される。なお、開封状態における各構成部分の位置関係を分かりやすくするため、上面外側パネル１４とその左右の側面外側パネル１９を剥がして立てた状態のカートンを図１０に示してある。
【００２９】
図６のカートンでは、スライドパネル１５にガイド片２２を設け、側面内側パネル１８を低くして前面パネル１２側に凸部１８ａを設けたので、スライドパネル１５を引っ張るとガイド片２２が凸部１８ａに当たるところまでは進むがそれ以上は引き出せない状態となる。このとき、上面内側パネル１６の左右にスリットβがあるので、ガイド片２２のあるスライドパネル１５をスムースに摺動させることができる。また、前面パネル１２は側面内側パネル１８の切欠部１８ｂのところで側面外側パネル１９に接着されているので、開封時にスライドパネル１５が前面パネル１２から切断されても箱形状が崩れるようなことがない。また、スライドパネル１５を押し込むと、両サイドのガイド片２２によりスムースに閉位置までスライドさせることができる。
【００３０】
このように、図６のカートンは、スライドパネル１５を引っ張って開口１４ａ，１６ａを開けると、そのまま放置しても開封状態が維持される。また、開封後にスライドパネル１５を閉じると、そのスライドパネル１５を引っ張らない限りは開口１４ａ，１６ａが開かないので、落下するようなことがあっても中身が溢れるということがない。
【００３１】
以上、本発明の実施の形態について詳細に説明してきたが、本発明によるカートンは、上記実施の形態に何ら限定されるものではなく、本発明の趣旨を逸脱しない範囲において種々の変更が可能であることは当然のことである。
【図面の簡単な説明】
【００３２】
【図１】本発明に係る第１のタイプのカートンの一例を示す斜視図である。
【図２】図１に示すカートンを組み立てるブランクの展開図である。
【図３】組立状態のカートンにおける各構成部分の位置関係を分かりやすくするための説明図である。
【図４】図１のカートンを開封した状態で示す斜視図である。
【図５】開封状態のカートンにおける各構成部分の位置関係を分かりやすくするための説明図である。
【図６】本発明に係る第２のタイプのカートンの一例を示す斜視図である。
【図７】図６に示すカートンを組み立てるブランクの展開図である。
【図８】組立状態のカートンにおける各構成部分の位置関係を分かりやすくするための説明図である。
【図９】図６のカートンを開封した状態で示す斜視図である。
【図１０】開封状態のカートンにおける各構成部分の位置関係を分かりやすくするための説明図である。
【符号の説明】
【００３３】
１  底面パネル
２  前面パネル
２ａ  押圧部
３  背面パネル
４  上面パネル
４ａ  開口
４ｂ  把持部分
５  スライドパネル
６  側面内側パネル
６ａ  切欠部
７  側面外側パネル
８，９  折込みフラップ
１０  ガイド片
１０ａ  凸部
１１  底面パネル
１２  前面パネル
１３  背面パネル
１４  上面外側パネル
１４ａ  開口
１４ｂ  把持部分
１５  スライドパネル
１６  上面内側パネル
１６ａ  開口
１６ｂ  押圧部分
１７  接着フラップ
１８  側面内側パネル
１８ａ  凸部
１８ｂ  切欠部
１９  側面外側パネル
２０，２１  折込みフラップ
２２  ガイド片
２３  折曲げフラップ
２３ａ  切欠部
【図１】
0005040680.tif 000002
【図２】
0005040680.tif 000003
【図３】
0005040680.tif 000004
【図４】
0005040680.tif 000005
【図５】
0005040680.tif 000006
【図６】
0005040680.tif 000007
【図７】
0005040680.tif 000008
【図８】
0005040680.tif 000009
【図９】
0005040680.tif 000010
【図１０】
0005040680.tif 000011